(57)【特許請求の範囲】
【請求項１】
利用者が所有する通信端末装置と、前記利用者の個人情報を記憶部に記憶する個人情報管理装置とに接続され、前記個人情報管理装置から前記利用者の個人情報を収集する個人情報収集装置であって、
前記利用者の個人情報について公開を許可するレベルを示す公開レベルを当該利用者の設定に応じて記憶する前記通信端末装置に対して、前記利用者の個人情報の公開を許可すべき旨の公開許可要求を送信し、前記通信端末装置が前記公開許可要求の応答として送信した公開レベルを受信する公開許可要求手段と、
前記利用者の個人情報について公開を要求するレベルを示す公開レベルであって予め記憶された公開レベルが前記通信端末装置から受信した公開レベルを満たす場合には、前記通信端末装置に対応付けて取得された個人情報を記憶する前記個人情報管理装置に対して、前記予め記憶された公開レベルを送信する公開レベル送信手段と、
前記公開レベル送信手段によって送信された公開レベルを受信した前記個人情報管理装置が前記受信した公開レベルに応じて前記記憶部に記憶される個人情報を編集して送信した個人情報を受信する個人情報受信手段と、
を備えたことを特徴とする個人情報収集装置。
【請求項２】
前記公開許可要求手段は、さらに、前記予め記憶された公開レベルが前記通信端末装置から受信した公開レベルを満たさない場合には、前記予め記憶された公開レベルを前記通信端末装置に送信し、前記予め記憶された公開レベルによる公開の許可を要求することを特徴とする請求項１に記載の個人情報収集装置。
【請求項３】
前記個人情報受信手段は、さらに、前記予め記憶された公開レベルが前記通信端末装置から受信した公開レベルを満たさない場合には、当該通信端末装置から受信した公開レベルを前記個人情報管理装置に送信し、当該受信した公開レベルに応じて編集された個人情報を当該個人情報管理装置から受信することを特徴とする請求項１に記載の個人情報収集装置。
【請求項４】
利用者が所有する通信端末装置と、前記利用者の個人情報を管理する個人情報管理装置と、前記個人情報管理装置から前記利用者の個人情報を収集する個人情報収集装置とから構成される個人情報提供システムであって、
前記通信端末装置は、
前記利用者の個人情報について公開を許可するレベルを示す公開レベルを、当該利用者の設定に応じて記憶する公開レベル記憶手段と、
前記個人情報収集装置から前記個人情報の公開を許可すべき旨の公開許可要求を受信した場合に、前記公開レベル記憶手段に記憶された公開レベルを前記個人情報収集装置に返信する公開レベル返信手段と、
前記個人情報収集装置は、
前記通信端末装置に前記公開許可要求を送信し、当該前記通信端末装置から前記公開レベルを受信する公開許可要求手段と、
前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信手段と、
前記個人情報管理装置は、
前記利用者の個人情報であって、前記通信端末装置に対応付けて取得された個人情報を記憶する個人情報記憶手段と、
前記個人情報収集装置から公開レベルを受信した場合に、前記個人情報記憶手段に記憶された個人情報を前記公開レベルに応じて編集して前記個人情報収集装置に送信する個人情報送信手段と、
を備えたことを特徴とする個人情報提供システム。
【請求項５】
利用者が所有する通信端末装置と、前記利用者の個人情報を管理する個人情報管理装置と、前記個人情報管理装置から前記利用者の個人情報を収集する個人情報収集装置とから構成される個人情報提供方法であって、
前記通信端末装置は、
前記利用者の個人情報について公開を許可するレベルを示す公開レベルを、当該利用者の設定に応じて記憶する公開レベル記憶工程と、
前記個人情報収集装置から前記個人情報の公開を許可すべき旨の公開許可要求を受信した場合に、前記公開レベル記憶手段に記憶された公開レベルを前記個人情報収集装置に返信する公開レベル返信工程と、
前記個人情報収集装置は、
前記通信端末装置に前記公開許可要求を送信し、当該前記通信端末装置から前記公開レベルを受信する公開許可要求工程と、
前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信工程と、
前記個人情報管理装置は、
前記利用者の個人情報であって、前記通信端末装置に対応付けて取得された個人情報を記憶する個人情報記憶工程と、
前記個人情報収集装置から公開レベルを受信した場合に、前記個人情報記憶手段に記憶された個人情報を前記公開レベルに応じて編集して前記個人情報収集装置に送信する個人情報送信工程と、
を含んだことを特徴とする個人情報提供方法。
【発明の詳細な説明】
【技術分野】
【０００１】
この発明は、個人情報収集装置、個人情報提供システムおよび個人情報提供方法
に関する。
【背景技術】
【０００２】
従来より、企業にとっては、販売促進や商品開発を目的とした購買層の分析、消費者ニーズの調査をするために、顧客の個人情報収集が必要であり、その収集方法には、アンケートによる個人の自己申告やＰＯＳシステムを利用した企業側の主観による判断などがある。ところが、これらの方法は、個人情報の虚偽が容易であったり、判断者の偏見が生じる可能性があるため、収集した個人情報の信頼度はそれほど高いものではない。
【０００３】
一方、携帯電話事業者などは、契約の際、虚偽の申告を防止するために、契約者に対して公的に保証された証明書（例えば、運転免許証など）の提示を義務付けることで、信頼度の高い個人情報を取得している。そして、販売促進や商品開発を目的として個人情報収集を必要とする企業は、上記した信頼度の高い個人情報を取得することを切望しているが、信頼度の高い個人情報を保有する企業は、プライバシー保護のため、そのままのデータ形式で外部に提供することはできない。そこで、個人を特定できないデータ形式に個人情報を加工する様々な技術が開示されている。
【０００４】
例えば、特許文献１（特開２００５−１６５７３７）では、用途や要求に応じて、あらかじめ用意した複数の保護スキーマを使用して、個人を特定できないデータ形式に個人情報を加工する技術が開示されている。
【０００５】
また、特許文献２（特開２００３−２８８５２６）では、個人情報を提供するユーザが、提供する情報を指定し（例えば、名前は不可、住所は不可、年齢は可など）、また、個人情報を取得したい企業が必要とする情報を指定して（例えば、名前は不要、住所は必要、年齢は必要など）、双方の指定状況を比較して、一致したもののみを提供する（この例では、年齢のみ提供される）技術が開示されている。
【０００６】
【特許文献１】特開２００５−１６５７３７号公報
【特許文献２】特開２００３−２８８５２６号公報
【発明の開示】
【発明が解決しようとする課題】
【０００７】
しかしながら、特許文献１では、個人情報を保有している企業が選択した保護スキーマで個人情報を加工するので、保護スキーマの選択によっては個人情報の加工が不十分となり、ユーザの意図に反して個人情報が提供される可能性があるという問題点があった。
【０００８】
また、特許文献２では、ユーザにより個人情報が登録されるので、虚偽が容易であり、収集される個人情報の信頼度が高くないという問題点のほかに、情報の指定が固定的であり、ユーザが個人情報を収集する企業に応じて、提供する情報のレベルを変更することが容易でなく、また、双方の指定状況が一致した情報のみが提供されるので、個人情報を収集したい企業が、必要とするレベルの個人情報を必ずしも容易に収集することができないという問題点があった。
【０００９】
そこで、この発明は、上述した従来技術の課題を解決するためになされたものであり、個人情報を収集する側の企業等は、公的に保証された信頼度の高い個人情報を取得することが可能であるとともに、必要とするレベルの個人情報を容易に収集することが可能であり、個人情報を所有する個人は、提供する個人情報のレベルを容易に変更することが可能であるとともに、自己の意に反して個人情報が提供される事態を回避することが可能な個人情報収集装置、個人情報提供システムおよび個人情報提供方法を提供することを目的とする。
【課題を解決するための手段】
【００１０】
上述した課題を解決し、目的を達成するため、本発明は、利用者が所有する通信端末装置と、前記利用者の個人情報を管理する個人情報管理装置とに接続され、前記個人情報管理装置から前記利用者の個人情報を収集する個人情報収集装置であって、前記利用者の個人情報について公開を許可するレベルを示す公開レベルを当該利用者の設定に応じて記憶する前記通信端末装置に対して、前記個人情報の公開を許可すべき旨の公開許可要求を送信し、当該前記通信端末装置から前記公開レベルを受信する公開許可要求手段と、前記利用者の個人情報について公開を要求するレベルを示す公開レベルであって予め記憶された公開レベルが前記通信端末装置から受信した公開レベルを満たす場合には、前記通信端末装置に対応付けて取得された個人情報を記憶する前記個人情報管理装置に対して、前記予め記憶された公開レベルを送信し、当該個人情報管理装置から当該公開レベルに応じて編集された個人情報を受信する個人情報受信手段と、を備えたことを特徴とする。
【００１１】
また、本発明は、上記の発明において、前記公開許可要求手段は、さらに、前記予め記憶された公開レベルが前記通信端末装置から受信した公開レベルを満たさない場合には、前記予め記憶された公開レベルを前記通信端末装置に送信し、前記公開レベルによる公開の許可を要求することを特徴とする。
【００１２】
また、本発明は、上記の発明において、前記個人情報受信手段は、さらに、前記予め記憶された公開レベルが前記通信端末装置から受信した公開レベルを満たさない場合には、当該通信端末装置から受信した公開レベルを前記個人情報管理装置に送信し、当該公開レベルに応じた個人情報を当該個人情報管理装置から受信することを特徴とする。
【００１３】
また、本発明は、上記の発明において、利用者が所有する通信端末装置と、前記利用者の個人情報を管理する個人情報管理装置と、前記個人情報管理装置から前記利用者の個人情報を収集する個人情報収集装置とから構成される個人情報提供システムであって、前記通信端末装置は、前記利用者の個人情報について公開を許可するレベルを示す公開レベルを、当該利用者の設定に応じて記憶する公開レベル記憶手段と、前記個人情報収集装置から前記個人情報の公開を許可すべき旨の公開許可要求を受信した場合に、前記公開レベル記憶手段に記憶された公開レベルを前記個人情報収集装置に返信する公開レベル返信手段と、前記個人情報収集装置は、前記通信端末装置に前記公開許可要求を送信し、当該前記通信端末装置から前記公開レベルを受信する公開許可要求手段と、前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信手段と、前記個人情報管理装置は、前記利用者の個人情報であって、前記通信端末装置に対応付けて取得された個人情報を記憶する個人情報記憶手段と、前記個人情報収集装置から公開レベルを受信した場合に、前記個人情報記憶手段に記憶された個人情報を前記公開レベルに応じて編集して前記個人情報収集装置に送信する個人情報送信手段と、を備えたことを特徴とする。
【００１４】
また、本発明は、上記の発明において、利用者が所有する通信端末装置と、前記利用者の個人情報を管理する個人情報管理装置と、前記個人情報管理装置から前記利用者の個人情報を収集する個人情報収集装置とから構成される個人情報提供方法であって、前記通信端末装置は、前記利用者の個人情報について公開を許可するレベルを示す公開レベルを、当該利用者の設定に応じて記憶する公開レベル記憶工程と、前記個人情報収集装置から前記個人情報の公開を許可すべき旨の公開許可要求を受信した場合に、前記公開レベル記憶手段に記憶された公開レベルを前記個人情報収集装置に返信する公開レベル返信工程と、前記個人情報収集装置は、前記通信端末装置に前記公開許可要求を送信し、当該前記通信端末装置から前記公開レベルを受信する公開許可要求工程と、前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信工程と、前記個人情報管理装置は、前記利用者の個人情報であって、前記通信端末装置に対応付けて取得された個人情報を記憶する個人情報記憶工程と、前記個人情報収集装置から公開レベルを受信した場合に、前記個人情報記憶手段に記憶された個人情報を前記公開レベルに応じて編集して前記個人情報収集装置に送信する個人情報送信工程と、を含んだことを特徴とする。
【発明の効果】
【００１５】
本発明によれば、通信端末装置は、利用者の個人情報について公開を許可するレベルを示す公開レベルを、当該利用者の設定に応じて記憶し、個人情報収集装置から個人情報の公開を許可すべき旨の公開許可要求を受信した場合に、記憶された公開レベルを個人情報収集装置に返信し、個人情報収集装置は、通信端末装置に公開許可要求を送信し、当該通信端末装置から公開レベルを受信し、利用者の個人情報について公開を要求するレベルを示す公開レベルであって予め記憶された公開レベルが通信端末装置から受信した公開レベルを満たす場合には、予め記憶された公開レベルを個人情報管理装置に送信し、当該公開レベルに応じた個人情報を当該個人情報管理装置から受信し、個人情報管理装置は、利用者の個人情報であって、通信端末装置に対応付けて取得された個人情報を記憶し、個人情報収集装置から公開レベルを受信した場合に、記憶された個人情報を公開レベルに応じて編集して個人情報収集装置に送信するので、個人情報を収集する側の企業等は、公的に保証された信頼度の高い個人情報を取得することが可能であるとともに、必要とするレベルの個人情報を容易に収集することが可能であり、個人情報を所有する個人は、提供する個人情報のレベルを容易に変更することが可能であるとともに、自己の意に反して個人情報が提供される事態を回避することが可能である。
【００１６】
また、本発明によれば、さらに、予め記憶された公開レベルが通信端末装置から受信した公開レベルを満たさない場合には、予め記憶された公開レベルを通信端末装置に送信し、当該公開レベルによる公開の許可を要求するので、個人情報を収集する企業等は、公開レベルが異なる場合でも、必要な情報をより容易に収集することが可能である。
【００１７】
また、本発明によれば、さらに、予め記憶された公開レベルが通信端末装置から受信した公開レベルを満たさない場合には、当該通信端末装置から受信した公開レベルを個人情報管理装置に送信し、当該公開レベルに応じた個人情報を当該個人情報管理装置から受信するので、個人情報を収集する企業等は、公開レベルが異なる場合でも、必要な最低限の情報をより容易に収集することが可能である。
【発明を実施するための最良の形態】
【００１８】
以下に添付図面を参照して、この発明に係る個人情報提供システムの実施例（実施例１〜２）を詳細に説明する。
【実施例１】
【００１９】
以下の実施例１では、本発明に係る個人情報提供システムの概要および特徴、個人情報提供システムの構成および処理の流れ、実施例１による効果等を順に説明する。
【００２０】
［個人情報提供システムの概要および特徴（実施例１）］
まず最初に、図１を用いて、本実施例に係る個人情報提供システムの概要および特徴を説明する。図１は、本実施例に係る個人情報提供システムの全体構成を表すシステム構成図である。
【００２１】
本実施例に係る個人情報提供システムは、図１に示すように、個人情報を記憶する個人情報管理装置１１と、個人情報収集を行う店舗Ａ１２内の個人情報収集装置１３とがネットワーク（公衆電話網やインターネットなどによって形成される通信網）を介して相互に通信可能に接続して構成される。また、個人情報収集装置１３と携帯端末１４とは、無線通信（赤外線通信やＢｌｕｅＴｏｏｔｈなど非接触型通信）にて接続されている。なお、携帯端末１４は、特許請求の範囲に記載の「通信端末装置」に対応する。
【００２２】
このような構成を有する個人情報提供システムは、個人情報管理装置１１が管理する個人情報を個人を特定しない情報に編集して個人情報収集装置１３にて収集することを概要とするものであり、個人情報を収集する側の企業等は、公的に保証された信頼度の高い個人情報を取得することが可能であるとともに、必要とするレベルの個人情報を容易に収集することが可能である点と、個人情報を所有する個人は、提供する個人情報のレベルを容易に変更することが可能であるとともに、自己の意に反して個人情報が提供される事態を回避することが可能な点とに主たる特徴がある。
【００２３】
図１を用いてこの主たる特徴を具体的に説明する。ここで、個人情報管理装置１１に記憶されている個人情報は、携帯端末１４の利用者契約情報であり、公的に保証された信頼度の高い個人情報である（図４参照）。また、個人情報収集装置１３は、予め公開レベル１を記憶し、携帯端末１４は、公開レベル１が利用者により設定されている。ここで、個人情報収集装置１３が記憶する公開レベル１とは、収集を希望する個人情報ついて公開を許可するレベルを示すものであり、例えば、公開レベル１の場合、図５に示したように、「ＩＤ：不可、電話番号：不可、氏名：不可、住所：都道府県、生年月日：１０歳単位、職業：不可」に基づいて個人情報が編集される。また、携帯端末１４が記憶する公開レベル１とは、携帯端末１４の利用者が提供する個人情報ついて公開を許可するレベルを示すものであり、店舗に入る度ごとなど、設定画面（図８参照）を用いて容易に変更可能である。
【００２４】
そして、携帯端末１４が、店舗Ａ１２内の個人情報収集装置１３と通信可能な範囲に存在する場合、個人情報収集装置１３は、携帯端末１４に対して公開許可要求を送信する（図１の（１））。そして、携帯端末１４は、送信された個人情報の公開許可要求を受信し、送信元である個人情報収集装置１３に図６に示した公開許可応答（例えば、ＹＥＳ・公開レベル１）を返信する（図１の（２））。
【００２５】
次に、公開許可要求を受信した個人情報収集装置１３は、予め記憶された公開レベルが携帯端末１４から受信した公開レベルを満たす場合には、ネットワーク１０を介して個人情報管理装置１１に公開レベルを含む個人情報編集要求を送信する（図１の（３））。ここで、本実施例では、個人情報収集装置１３は公開レベル１を記憶しており、携帯端末１４は公開レベル１を記憶しているので、個人情報収集装置１３が公開を要求する公開レベルは、携帯端末１４から受信した公開レベルを満たしている。
【００２６】
そして、個人情報編集要求を受信した個人情報管理装置１１は、受信した個人情報編集要求に含まれた電話番号に対応付けて記憶される個人情報を、受信した個人情報編集要求に含まれた公開レベル１に応じて個人が特定できない情報に編集して（図１の（４））、個人情報収集装置１３に提供する（図１の（５））。例えば、公開レベル１の場合は、図４に示したＩＤが１である「特許太郎」の個人情報「ＩＤ：１、電話番号：９０１１１１０００１、氏名：特許太郎、住所：東京都千代田区霞ヶ関１−１−１、生年月日：１９３３．０２．１５、職業：無職」は、「東京都、７０代」と編集されて提供される（図９参照）。
【００２７】
したがって、本実施例に係る個人情報提供システムにおける個人情報収集装置１３は、公的に保証された信頼度の高い個人情報を取得することが可能であるとともに、必要とするレベルの個人情報を容易に収集することが可能であり、個人情報を所有する個人（携帯端末１４を所持する個人）は、提供する個人情報のレベルを容易に変更することが可能であるとともに、自己の意に反して個人情報が提供される事態を回避することが可能である。
【００２８】
［個人情報提供システムの構成（実施例１）］
次に、図２、図４〜図９を用いて、個人情報提供システムの構成を説明する。図２は、本実施例に係る個人情報提供システムの構成を示すブロック図である。図４は、個人情報データの例を示した図であり、図５は、個人情報編集用定義ファイルの例を示した図であり、図６は、携帯端末の公開レベル設定情報の例を示した図であり、図７は、個人情報収集装置の公開レベル設定情報の例を示した図であり、図８は、携帯端末の公開レベルを設置する画面の例を示した図であり、図９は、公開レベルに応じて編集した個人情報データの例を示した図である。図２に示すように、この個人情報提供システム２０は、携帯端末１４と、個人情報収集装置１３と、個人情報管理装置１１とから構成される。
【００２９】
このうち、携帯端末１４は、本発明に密接に関連するものとして、通信部１４ａと、公開レベル記憶部１４ｂと、公開レベル返信部１４ｃとから構成される。通信部１４ａは、無線通信を行う手段であり、具体的には、ＢｌｕｅＴｏｏｔｈや赤外線機能を有しており、個人情報収集装置１３と無線通信を行う。
【００３０】
また、公開レベル記憶部１４ｂは、公開レベルを記憶する手段である。具体的には、携帯端末１４の利用者の個人情報について公開を許可するレベルを示す公開レベルを、利用者の設定に応じて記憶する（図８参照）。例えば、携帯端末１４の利用者により図８に示すようにレベル１〜レベル３から公開レベルが選択される。そして、公開レベル１が選択されると公開レベル１が設定され、公開レベル記憶部１４ｂは、設定された公開レベル１を記憶する。
【００３１】
そして、公開レベル返信部１４ｃは、記憶された公開レベルを個人情報収集装置１３に返信する手段である。具体的には、個人情報収集装置１３から公開許可要求を受信した場合に、図６に示すように公開許可応答（個人情報公開可否状態、公開レベル）を通信部１４ａを介して個人情報収集装置１３に返信する。
【００３２】
次に、個人情報収集装置１３は、本発明に密接に関連するものとして、図２に示すように、ネットワーク通信部１３ａと、無線通信部１３ｂと、公開許可要求部１３ｃと、個人情報受信部１３ｄとから構成される。このうち、ネットワーク通信部１３ａは、個人情報管理装置１１と接続されて通信を行う手段であり、具体的には、公衆電話網やインターネットなどによって形成されるネットワーク１０を介して接続される。
【００３３】
また、無線通信部１３ｂは、携帯端末１４と無線通信を行う手段であり、具体的には、携帯端末１４の通信部１４ａと同様の機能を有し、携帯端末１４と無線通信を行う。
【００３４】
そして、公開許可要求部１３ｃは、携帯端末１４に公開許可要求を送信する手段である。具体的には、携帯端末１４が個人情報収集装置１３と通信可能な範囲に存在する場合、公開許可要求部１３ｃは、無線通信部１３ｂを介して公開許可要求を携帯端末１４に送信し、当該携帯端末１４から無線通信部１３ｂを介して公開許可応答（例えば、Ｙｅｓ、公開レベル１）を受信する。
【００３５】
また、個人情報受信部１３ｄは、個人情報管理装置１１に個人情報編集要求を送信するとともに、編集された個人情報を受信する手段であり、さらに、図示しない記憶部を備えており、予め図７に示したような公開レベルを記憶している。具体的には、予め記憶された公開レベルが携帯端末１４から受信した公開レベルを満たす場合（以下である場合）、予め記憶された公開レベルを個人情報管理装置１１に送信し、当該公開レベルに応じた個人情報を個人情報管理装置１１から受信する。例えば、予め公開レベル１を記憶しておき、携帯端末１４から受信した公開レベルが１であった場合、携帯端末１４の公開レベル１を満たすので、個人情報管理装置１１に公開レベル１に応じた個人情報編集要求を送信し、編集された個人情報を受信する。なお、受信した個人情報は、各項目ごとに記憶部に格納される。
【００３６】
そして、個人情報管理装置１１は、本発明に密接に関連するものとして、図２に示すように、通信部１１ａと、個人情報記憶部１１ｂと、個人情報送信部１１ｃとを備えて構成される。このうち、通信部１１ａは、個人情報収集装置１３と接続する手段であり、具体的には、個人情報収集装置１３のネットワーク通信部１３ａと同様の機能を有して構成される。
【００３７】
また、個人情報記憶部１１ｂは、個人情報を記憶する手段である。具体的には、携帯端末１４の利用者の個人情報であって、図４に示したように携帯端末１４に対応付けられた個人情報を記憶する。つまり、ＩＤに対応付けられて、電話番号と、氏名と、住所と、生年月日と、職業とを記憶する。また、記憶する個人情報は、携帯端末契約時に、公的に保証された証明書を提示させて虚偽でないことを確認するので、信頼度の高い個人情報である。
【００３８】
そして、個人情報送信部１１ｃは、個人情報を編集して、編集した個人情報を個人情報収集装置１３へ送信する手段であり、さらに、図示しない記憶部を備えて構成され、図５に示したような個人情報編集用定義ファイルを記憶する。つまり、公開レベル１の場合は、「ＩＤ：不可、電話番号：不可、氏名：不可、住所：都道府県、生年月日：１０歳単位、職業：不明」に基づいて編集される。同様に、公開レベル２の場合は、「ＩＤ：不可、電話番号：不可、氏名：不可、住所：都道府県市町村、生年月日：５歳単位、職業：実データ」、公開レベル３の場合は、「ＩＤ：不可、電話番号：不可、氏名：不可、住所：都道府県市町村、生年月日：実年齢、職業：実データ」に基づいて編集される。
【００３９】
具体的には、個人情報収集装置１３から公開レベルを受信した場合に、個人情報編集定義ファイルに基づいて、個人情報記憶部１１ｂに記憶された個人情報を公開レベルに応じた編集をして、通信部１１ａを介して個人情報収集装置１３に送信する。つまり、個人情報収集装置１３から公開レベル１を受信した場合、個人情報記憶部１１ｂに記憶された個人情報を公開レベル１に応じて編集して個人情報収集装置１３に送信する。例えば、図９に示したように、図４に示したＩＤが１である「特許太郎」の個人情報「ＩＤ：１、電話番号：９０１１１１０００１、氏名：特許太郎、住所：東京都千代田区霞ヶ関１−１−１、生年月日：１９３３．０２．１５、職業：無職」は、「東京都、７０代」と編集されて送信される。
【００４０】
［個人情報提供システムによる処理（実施例１）］
次に、図３を用いて、個人情報提供システムによる処理を説明する。図３は、本実施例に係る個人情報提供システムの流れを示すフローチャートである。
【００４１】
まず、個人情報収集装置１３の公開許可要求部１３ｃは、携帯端末１４が個人情報収集装置１３と通信可能な範囲に存在する場合、無線通信部１３ｂを介して携帯端末１４に公開許可要求を送信する（ステップＳ３０１）。そして、携帯端末１４の公開レベル返信部１４ｃは、公開許可要求を受信し（ステップＳ３０２）、図６に示した公開許可応答を通信部１４ａを介して個人情報収集装置１３に返信する（ステップＳ３０３）。
【００４２】
そして、個人情報収集装置１３の公開許可要求部１３ｃは、送信された公開許可応答を受信し（ステップ３０４）、個人情報受信部１３ｄは、図７に示した予め記憶された公開レベルが、受信した公開レベルを満たすか否かを判断する（ステップＳ３０５）。
【００４３】
そこで、予め記憶した公開レベルが、受信した公開レベルを満たさない場合（ステップＳ３０５否定）、個人情報提供システムは処理を終了する。
【００４４】
一方、予め記憶した公開レベルが、受信した公開レベルを満たす場合（ステップＳ３０５肯定）、個人情報収集装置１３の個人情報受信部１３ｄは、予め記憶された公開レベル１による個人情報編集要求をネットワーク通信部１３ａを介して個人情報管理装置１１に送信する（ステップＳ３０６）。
【００４５】
そして、個人情報管理装置１１の個人情報送信部１１ｃは、送信された個人情報編集要求を受信し（ステップＳ３０７）、受信した公開レベルに応じて個人情報を編集し（ステップＳ３０８）、通信部１１ａを介して編集した個人情報を個人情報収集装置１３に送信する（ステップＳ３０９）。その後、個人情報収集装置１３の個人情報受信部１３ｄは、編集されて送信された個人情報を受信する（ステップＳ３１０）。
【００４６】
［実施例１の効果］
上述してきたように、実施例１によれば、携帯端末１４は、利用者の個人情報について公開を許可するレベルを示す公開レベルを、当該利用者の設定に応じて記憶し、個人情報収集装置１３から個人情報の公開を許可すべき旨の公開許可要求を受信した場合に、記憶された公開レベルを個人情報収集装置１３に返信し、個人情報収集装置１３は、携帯端末１４に公開許可要求を送信し、当該携帯端末１４から公開レベルを受信し、利用者の個人情報について公開を要求するレベルを示す公開レベルであって予め記憶された公開レベルが携帯端末１４から受信した公開レベルを満たす場合には、予め記憶された公開レベルを個人情報管理装置１１に送信し、当該公開レベルに応じた個人情報を当該個人情報管理装置１１から受信し、個人情報管理装置１１は、利用者の個人情報であって、携帯端末１４に対応付けて取得された個人情報を記憶し、個人情報収集装置１３から公開レベルを受信した場合に、記憶された個人情報を公開レベルに応じて編集して個人情報収集装置１３に送信するので、個人情報を収集する側の企業等は、公的に保証された信頼度の高い個人情報を取得することが可能であるとともに、必要とするレベルの個人情報を容易に収集することが可能であり、個人情報を所有する個人は、提供する個人情報のレベルを容易に変更することが可能であるとともに、自己の意に反して個人情報が提供される事態を回避することが可能である。
【実施例２】
【００４７】
ところで、上記の実施例１では、個人情報収集装置に予め記憶された公開レベルが携帯端末から受信した公開レベルを満たさない場合、個人情報提供処理を終了する例を説明したが、本発明は必ずしもこれに限定するものではなく、個人情報収集装置に予め記憶された公開レベルが携帯端末から受信した公開レベルを満たさない場合も個人情報を提供することが可能である。
【００４８】
そこで、実施例２では、個人情報収集装置に予め記憶された公開レベルが携帯端末から受信した公開レベルを満たさない場合も個人情報提供システムが終了しない例を説明する。以下の実施例２では、本発明に係る個人情報提供システムの全体構成、個人情報提供システムの構成および処理の流れ、実施例２による効果等を順に説明する。
【００４９】
［個人情報提供システムの全体構成（実施例２）］
まず最初に、図１０、図１３を用いて、本実施例に係る個人情報提供システムについて説明する。図１０は、本実施例に係る個人情報提供システムの全体構成を表すシステム構成図であり、図１３は、公開レベル変更要求画面の例を示した図である。本実施例に係る個人情報提供システムは、図１０に示すように、個人情報を記憶する個人情報管理装置１０１と、個人情報収集を行う店舗Ｂ１０２内の個人情報収集装置１０３とがネットワーク１００を介して相互に通信可能に接続して構成される。また、個人情報収集装置１０３と携帯端末１０４とは、無線通信にて接続されている。なお、携帯端末１０４は、特許請求の範囲に記載の「通信端末装置」に対応する。
【００５０】
そして、個人情報管理装置１０１に記憶されている個人情報は、実施例１と同様に、公的に保証された信頼度の高い個人情報である。また、実施例１と同様の機能を用いて、個人情報収集装置１０３は、予め公開レベル２を記憶し、携帯端末１０４は、公開レベル１が利用者により設定されている。
【００５１】
そして、携帯端末１０４が、店舗Ｂ１０２内の個人情報収集装置１０３と通信可能な範囲に存在する場合、個人情報収集装置１０３は、携帯端末１０４に対して公開許可要求を送信する（図１０の（１））。そして、携帯端末１０４は、送信された個人情報の公開許可要求を受信し、送信元である個人情報収集装置１０３に公開許可応答（Ｙｅｓ・公開レベル１）を返信する（図１０の（２））。ここで、個人情報収集装置１０３は公開レベル２を記憶しており、携帯端末１０４は公開レベル１を記憶しているので、個人情報収集装置１０３が公開を要求する公開レベルは、携帯端末１０４から受信した公開レベルを満たしていない。
【００５２】
次に、公開許可要求を受信した個人情報収集装置１０３は、予め記憶された公開レベルが携帯端末１０４から受信した公開レベルを満たさない場合には、携帯端末１０４に対して図１３に示した公開レベル変更要求を送信する（図１０の（３））。そして、公開レベル変更要求を受信した場合、携帯端末１０４の図示しない表示部に公開レベル変更を要求する旨と、「許可」または「不許可」の指示操作させる画面が表示される。その後、携帯端末１０４は、利用者により「許可」が指示操作されると公開レベル変更を許可する旨を表す公開許可応答（例えば、ＯＫ）を返信する（図１０の（４））。なお、「不許可」が指示操作されると、個人情報提供システムは、処理を終了する。
【００５３】
ここで、本実施例において、はじめは、個人情報収集装置１０３は公開レベル２を記憶しており、携帯端末１０４は公開レベル１を記憶しているので、個人情報収集装置１０３が公開を要求する公開レベルは、携帯端末１０４から受信した公開レベルを満たしていない（以下でない）。しかし、携帯端末１０４の利用者は、公開レベル変更要求後の公開許可応答（図１０の（４））において、公開レベル２で個人情報が提供されることを許可したこととなり、個人情報収集装置１０３は、予め記憶された公開レベル（公開レベル２）が携帯端末１０４から受信した公開レベルを満たす（以下である）こととなる。
【００５４】
そして、公開許可応答を受信した個人情報収集装置１０３は、ネットワーク１００を介して個人情報管理装置１０１に公開レベル（ここでは、２）を含む個人情報編集要求（例えば、電話番号と公開レベル２）を送信する（図１０の（５））。
【００５５】
その後、個人情報編集要求を受信した個人情報管理装置１０１は、受信した個人情報編集要求に含まれた電話番号に対応付けて記憶される個人情報を、受信した個人情報編集要求に含まれた公開レベルに応じて個人が特定できない情報に編集して（図１０の（６））、個人情報収集装置１０３に提供する（図１０の（７））。例えば、公開レベル２の場合は、図４に示したＩＤが１である特許太郎の個人情報「ＩＤ：１、電話番号：９０１１１１０００１、氏名：特許太郎、住所：東京都千代田区霞ヶ関１−１−１、生年月日：１９３３．０２．１５、職業：無職」は、「東京都千代田区、７０〜７５歳、無職」と編集して提供される（図９参照）。
【００５６】
［個人情報提供システムの構成（実施例２）］
次に、図１１を用いて、個人情報提供システムの構成を説明する。図１１は、本実施例に係る個人情報提供システムの構成を示すブロック図である。同図に示すように、この個人情報提供システム１１０は、携帯端末１０４と、個人情報収集装置１０３と、個人情報管理装置１０１とから構成される。
【００５７】
このうち、携帯端末１０４の通信部１０４ａと、公開レベル記憶部１０４ｂと、公開レベル返信部１０４ｃは、実施例１で説明した携帯端末１４の通信部１４ａと、公開レベル記憶部１４ｂと、公開レベル返信部１４ｃと同様の機能を有するので、その詳細な説明は省略する。同様に、個人情報収集装置１０３のネットワーク通信部１０３ａと、無線通信部１０３ｂは、実施例１で説明した個人情報収集装置１３のネットワーク通信部１３ａと、無線通信部１３ｂと同様の機能を有し、また、個人情報管理装置１０１の通信部１０１ａと、個人情報記憶部１０１ｂと、個人情報送信部１０１ｃは、実施例１で説明した個人情報管理装置１１の通信部１１ａと、個人情報記憶部１１ｂと、個人情報送信部１１ｃと同様の機能を有するので、その詳細な説明は省略する。ここでは、実施例１とは異なる機能を有する個人情報収集装置１０３の公開許可要求部１０３ｃと、個人情報受信部１０３ｄについて説明する。
【００５８】
まず、個人情報収集装置１０３の公開許可要求部１０３ｃは、公開許可要求または公開レベル変更要求を送信する手段である。具体的には、携帯端末１０４が個人情報収集装置１０３と通信可能な範囲に存在する場合、無線通信部１０３ｂを介して携帯端末１０４に公開許可要求を送信し、当該携帯端末１０４から無線通信部１０３ｂを介して公開許可応答を受信する。そして、受信した公開許可応答が、予め記憶された公開レベルを満たさない場合、無線通信部１０３ｂを介して携帯端末１０４に公開レベル変更要求を送信する。例えば、予め公開レベル２を記憶された個人情報収集装置１０３が、携帯端末１０４より公開許可応答（ＹＥＳ、公開レベル１）を受信した場合、個人情報収集装置１０３の公開許可要求部１０３ｃは、無線通信部１０３ｂを介して携帯端末１０４に公開レベル変更要求を送信する。
【００５９】
また、個人情報収集装置１０３の個人情報受信部１０３ｄは、受信した公開レベルを個人情報管理装置１０１に送信し、編集された個人情報を受信する手段である。具体的には、予め記憶された公開レベルが、受信した公開レベルを満たさない場合（以下でない場合）、受信した公開レベルを個人情報管理装置１０１にネットワーク通信部１０３ａを介して送信し、編集された個人情報をネットワーク通信部１０３ａを介して受信する。
【００６０】
［個人情報提供システムによる処理（実施例２）］
次に、図１２を用いて、個人情報提供システムによる処理を説明する。図１２は、個人情報提供システムの処理の流れを示すフローチャートである。
【００６１】
まず、個人情報収集装置１０３の公開許可要求部１０３ｃは、携帯端末１０４が個人情報収集装置１０３と通信可能な範囲に存在する場合、無線通信部１０３ｂを介して携帯端末１０４に公開許可要求を送信する（ステップＳ１２０１）。そして、携帯端末１０４の公開レベル返信部１０４ｃは、公開許可要求を受信し（ステップＳ１２０２）、通信部１０４ａを介して公開許可応答を個人情報収集装置１０３に返信する（ステップＳ１２０３）。
【００６２】
そして、個人情報収集装置１０３の公開許可要求部１０３ｃは、送信された公開許可応答を受信し（ステップ１２０４）、個人情報受信部１０３ｄは、予め記憶された公開レベルが、受信した公開レベルを満たすか否かを判断する（ステップＳ１２０５）。
【００６３】
そこで、予め記憶した公開レベルが、受信した公開レベルを満たさない場合（ステップＳ１２０５否定）、個人情報収集装置１０３の公開許可要求部１０３ｃは、携帯端末１０４に公開レベル変更要求を無線通信部１０３ｂを介して送信する（ステップＳ１２０６）。
【００６４】
そして、携帯端末１０４の公開レベル返信部１０４ｃは、公開レベル変更要求を受信し（ステップＳ１２０７）、利用者により「許可」が指示操作されて公開レベル変更を許可する応答を個人情報収集装置１０３に通信部１０４ａを介して送信する（ステップＳ１２０８）。なお、利用者により「不許可」が指示操作されれば、個人情報提供システムは処理を終了する。
【００６５】
その後、個人情報収集装置１０３の公開許可要求部１０３ｃは、送信された公開レベル変更を許可する応答を受信し（ステップ１２０９）、個人情報受信部１０３ｄは、受信した公開レベルによる個人情報編集要求をネットワーク通信部１０３ａを介して個人情報管理装置１０１に送信する（ステップＳ１２１０）。
【００６６】
一方、予め記憶した公開レベルが、受信した公開レベルを満たさない場合（ステップＳ１２０５肯定）、個人情報収集装置１０３の個人情報受信部１０３ｄは、予め記憶された公開レベルによる個人情報編集要求をネットワーク通信部１０３ａを介して個人情報管理装置１０１に送信する（ステップＳ１２１０）。
【００６７】
そして、個人情報管理装置１０１の個人情報送信部１０１ｃは、送信された個人情報編集要求を受信し（ステップＳ１２１１）、受信した公開レベルに応じて個人情報を編集し（ステップＳ１２１２）、編集した個人情報を通信部１０１ａを介して個人情報収集装置１０３に送信する（ステップＳ１２１３）。その後、個人情報収集装置１０３の個人情報受信部１０３ｄは、編集されて送信された個人情報を受信する（ステップＳ１２１４）。
【００６８】
［実施例２の効果］
上述してきたように、個人情報収集装置１０３の公開許可要求部１０３ｃは、さらに、予め記憶された公開レベルが携帯端末１０４から受信した公開レベルを満たさない場合には、予め記憶された公開レベルを携帯端末１０４に送信し、当該公開レベルによる公開の許可を要求するので、個人情報を収集する企業等は、公開レベルが異なる場合でも、必要な情報をより容易に収集することが可能である。
【実施例３】
【００６９】
ところで、上記の実施例２では、個人情報収集装置が携帯端末に公開レベル変更要求を送信した場合、携帯端末の利用者が公開レベル変更に不許可を指示操作すると、個人情報提供システムは処理を終了する例を説明したが、本発明は必ずしもこれに限定するものではなく、携帯端末の利用者が公開レベル変更に不許可を指示操作した場合でも、個人情報を提供することが可能である。
【００７０】
そこで、実施例３では、個人情報収集装置が携帯端末に公開レベル変更要求を送信した場合、携帯端末の利用者が公開レベル変更に不許可を指示操作しても個人情報提供システムが終了しない例を説明する。以下の実施例３では、本発明に係る個人情報提供システムの全体構成、実施例３による効果等を順に説明する。
【００７１】
［個人情報提供システムの全体構成（実施例３）］
本実施例に係る個人情報提供システムは、図１４に示すように、個人情報を記憶する個人情報管理装置１４１と、個人情報収集を行う店舗Ｃ１４２内の個人情報収集装置１４３とがネットワーク１４０を介して相互に通信可能に接続して構成される。また、個人情報収集装置１４３と携帯端末１４４とは、無線通信にて接続されている。なお、携帯端末１４４は、特許請求の範囲に記載の「通信端末装置」に対応する。
【００７２】
ここで、個人情報管理装置１４１に記憶されている個人情報は、実施例１および２と同様に、公的に保証された信頼度の高い個人情報である。また、実施例１と同様の機能を用いて、個人情報収集装置１４３は、予め公開レベル２を記憶し、携帯端末１４４は、公開レベル１が利用者により設定されている。
【００７３】
そして、携帯端末１４４が、店舗Ｃ１４２内の個人情報収集装置１４３と通信可能な範囲に存在する場合、個人情報収集装置１４３は、携帯端末１４４に対して公開許可要求を送信する（図１４の（１））。そして、携帯端末１４４は、送信された個人情報の公開許可要求を受信し、送信元である個人情報収集装置１４３に公開レベルを含む公開許可応答（例えば、Ｙｅｓ・公開レベル１）を返信する（図１４の（２））。ここで、本実施例では、個人情報収集装置１４３は公開レベル２を記憶しており、携帯端末１４４は公開レベル１を記憶しているので、個人情報収集装置１４３が公開を要求する公開レベルは、携帯端末１４４から受信した公開レベルを満たしていない（以下ではない）。
【００７４】
次に、公開許可要求を受信した個人情報収集装置１４３は、予め記憶された公開レベルが携帯端末１４４から受信した公開レベルを満たさないので、携帯端末１４４に対して図１１に示した公開レベル変更要求を送信する（図１４の（３））。そして、公開レベル変更要求を受信した場合、携帯端末１４４は、利用者の指示操作により公開レベルを変更しない旨を表す公開許可応答（例えば、ＮＧ）を返信する（図１４の（４））。
【００７５】
ここでも、本実施例において、個人情報収集装置１４３は公開レベル２を記憶しており、携帯端末１４４は公開レベル１を公開許可応答として返信しているので、個人情報収集装置１４３が公開を要求する公開レベルは、携帯端末１４４から受信した公開レベルを満たしていない。
【００７６】
そこで、個人情報収集装置１４３は、最初に受信した携帯端末１４４の公開レベルを用いて個人情報管理装置１４１にネットワーク１４０を介して個人情報編集要求（例えば、電話番号と公開レベル１）を送信する（図１４の（５））。
【００７７】
その後、個人情報編集要求を受信した個人情報管理装置１４１は、受信した個人情報編集要求に含まれた電話番号に対応付けて取得されて記憶される個人情報を、受信した個人情報編集要求に含まれた公開レベルに応じて個人が特定できない情報に編集して（図１４の（６））、ネットワーク１４０を介して個人情報収集装置１４３に提供する（図１４の（７））。
【００７８】
［実施例３の効果］
上述してきたように、個人情報収集装置１４３の個人情報受信部は、さらに、予め記憶された公開レベルが携帯端末１４４から受信した公開レベルを満たさない場合には、携帯端末１４４から受信した公開レベルを個人情報管理装置１４１に送信し、当該公開レベルに応じた個人情報を個人情報管理装置１４１から受信するので、個人情報を収集する企業等は、公開レベルが異なる場合でも、必要な最低限の情報をより容易に収集することが可能である。
【実施例４】
【００７９】
さて、これまで実施例１〜３に係る個人情報提供システムについて説明してきたが、本発明は上記した実施例以外にも、種々の異なる形態にて実施されてよいものである。そこで、以下では実施例４として、種々の異なる形態について説明する。
【００８０】
例えば、上記した実施例１および２において、携帯端末の公開レベルを、名前、年齢など設定項目をまとめて一つ設定された場合を説明したが、本発明はこれに限定されるものではなく、設定項目ごとに公開レベルを設定してもよい。例えば、図１５に示したように、名前、住所、生年月日、職業などをそれぞれ分けて公開レベルを設定してもよい。この場合、各項目ごとに公開レベルが設定可能であるので、個人情報収集装置は、各項目ごとに要求する公開レベルを指定して公開許可要求を携帯端末に送信する。
【００８１】
また、上記した実施例１および２において、ネットワーク上に個人情報収集装置を一つ接続した場合を説明したが、本発明はこれに限定されるものではなく、ネットワーク上に複数の個人情報収集装置を接続してもよい。例えば、図１６に示したように、個人情報管理装置１６１と、ＡＢＣコンビニエンスストア駅前店１６２と、青空デパート１６３と、ＡＢＣコンビニエンスストア１６４とにそれぞれ設置された個人情報収集装置とが、ネットワーク１６０を介して接続されていてもよい。また、それぞれの店に設置されている
個人情報収集装置に記憶されている公開レベルが異なっていてもよい。
【００８２】
また、例えば、図１７は、個人情報を提供する携帯端末の利用者が、個人情報収集装置の要求に応じて公開レベルを変更した場合に、ポイントを２倍にして提供するサービス例である。図１７に示したように、個人情報管理装置１７１と個人情報収集装置１７２を要するＡＢＣコンビニエンスストアがネットワーク１７０を介して接続されている。また、個人情報収集装置１７２と携帯端末１７３とが無線通信によって接続されている。そして、個人情報収集装置１７２が記憶する公開レベル（公開レベル２）と、携帯端末１７３が記憶する公開レベル（公開レベル１）が異なる場合、上述した実施例２のように、携帯端末１７３が、個人情報収集装置１７２が記憶する公開レベル（公開レベル２）での個人情報公開を許可し、個人情報を提供したとする。その場合に、個人情報を提供した携帯電話の利用者にポイントを２倍にして提供するサービスである。具体的には、個人情報を提供するとポイントを提供するサービスにおいて、公開レベルの変更が必要なく個人情報を提供した場合は、１００ポイントを提供するが、公開レベルを上げることを許可して提供した場合は（例えば、公開レベル１を設定していたが、公開レベル２で提供することを許可する場合）、２００ポイントを提供する。
【００８３】
また、図１８は、個人情報を提供する携帯端末の利用者が、個人情報収集装置の要求に応じず公開レベルを変更しなかった場合に、ポイントを半分にして提供するサービス例である。図１８に示したように、個人情報管理装置１８１と個人情報収集装置１８２を要するＡＢＣコンビニエンスストアがネットワーク１８０を介して接続されている。また、個人情報収集装置１８２と携帯端末１８３とが無線通信によって接続されている。そして、個人情報収集装置１８２が記憶する公開レベル（公開レベル２）と、携帯端末１８３が記憶する公開レベル（公開レベル１）が異なる場合、上述した実施例３のように、携帯端末１８３が、個人情報収集装置１７２が記憶する公開レベル（公開レベル２）での個人情報公開を不許可にして個人情報を提供したとする。その場合に、個人情報を提供した携帯電話の利用者にポイントを半分にして提供するサービスである。具体的には、個人情報を提供するとポイントを提供するサービスにおいて、公開レベルの変更が必要なく個人情報を提供した場合は、１００ポイントを提供するが、公開レベルを上げることを不許可にして提供した場合は（例えば、公開レベル１を設定していたが、公開レベル２で提供することを不許可にする場合）５０ポイントを提供する。
【００８４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８６】
なお、上記の実施例では、本発明を実現する各装置（例えば、携帯端末１４、個人情報管理装置１１、個人情報収集装置１３など）を機能面から説明したが、各装置の各機能はパーソナルコンピュータやワークステーションなどのコンピュータにプログラムを実行させることによって実現することもできる。すなわち、上記の実施例で説明した各種の処理手順は、あらかじめ用意されたプログラムをコンピュータ上で実行することによって実現することができる。そして、これらのプログラムは、インターネットなどのネットワークを介して配布することができる。さらに、これらのプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。つまり、例を挙げれば、実施例１に示したような携帯端末１４用プログラムや、個人情報管理装置用プログラムや、個人情報収集装置用プログラムを格納したＣＤ−ＲＯＭ（装置ごとに別個のＣＤ−ＲＯＭであってもよい）を配布し、このＣＤ−ＲＯＭに格納されたプログラムを各コンピュータが読み出して実行するようにしてもよい。
【００８７】
（付記１）利用者が所有する通信端末装置と、前記利用者の個人情報を管理する個人情報管理装置とに接続され、前記個人情報管理装置から前記利用者の個人情報を収集する個人情報収集装置であって、
前記利用者の個人情報について公開を許可するレベルを示す公開レベルを当該利用者の設定に応じて記憶する前記通信端末装置に対して、前記個人情報の公開を許可すべき旨の公開許可要求を送信し、当該前記通信端末装置から前記公開レベルを受信する公開許可要求手段と、
前記利用者の個人情報について公開を要求するレベルを示す公開レベルであって予め記憶された公開レベルが前記通信端末装置から受信した公開レベルを満たす場合には、前記通信端末装置に対応付けて取得された個人情報を記憶する前記個人情報管理装置に対して、前記予め記憶された公開レベルを送信し、当該個人情報管理装置から当該公開レベルに応じて編集された個人情報を受信する個人情報受信手段と、
を備えたことを特徴とする個人情報収集装置。
【００８８】
（付記２）前記公開許可要求手段は、さらに、前記予め記憶された公開レベルが前記通信端末装置から受信した公開レベルを満たさない場合には、前記予め記憶された公開レベルを前記通信端末装置に送信し、前記公開レベルによる公開の許可を要求することを特徴とする付記１に記載の個人情報収集装置。
【００８９】
（付記３）前記個人情報受信手段は、さらに、前記予め記憶された公開レベルが前記通信端末装置から受信した公開レベルを満たさない場合には、当該通信端末装置から受信した公開レベルを前記個人情報管理装置に送信し、当該公開レベルに応じた個人情報を当該個人情報管理装置から受信することを特徴とする付記１に記載の個人情報収集装置。
【００９０】
（付記４）利用者が所有する通信端末装置と、前記利用者の個人情報を管理する個人情報管理装置と、前記個人情報管理装置から前記利用者の個人情報を収集する個人情報収集装置とから構成される個人情報提供システムであって、
前記通信端末装置は、
前記利用者の個人情報について公開を許可するレベルを示す公開レベルを、当該利用者の設定に応じて記憶する公開レベル記憶手段と、
前記個人情報収集装置から前記個人情報の公開を許可すべき旨の公開許可要求を受信した場合に、前記公開レベル記憶手段に記憶された公開レベルを前記個人情報収集装置に返信する公開レベル返信手段と、
前記個人情報収集装置は、
前記通信端末装置に前記公開許可要求を送信し、当該前記通信端末装置から前記公開レベルを受信する公開許可要求手段と、
前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信手段と、
前記個人情報管理装置は、
前記利用者の個人情報であって、前記通信端末装置に対応付けて取得された個人情報を記憶する個人情報記憶手段と、
前記個人情報収集装置から公開レベルを受信した場合に、前記個人情報記憶手段に記憶された個人情報を前記公開レベルに応じて編集して前記個人情報収集装置に送信する個人情報送信手段と、
を備えたことを特徴とする個人情報提供システム。
【００９１】
（付記５）利用者が所有する通信端末装置と、前記利用者の個人情報を管理する個人情報管理装置と、前記個人情報管理装置から前記利用者の個人情報を収集する個人情報収集装置とから構成される個人情報提供方法であって、
前記通信端末装置は、
前記利用者の個人情報について公開を許可するレベルを示す公開レベルを、当該利用者の設定に応じて記憶する公開レベル記憶工程と、
前記個人情報収集装置から前記個人情報の公開を許可すべき旨の公開許可要求を受信した場合に、前記公開レベル記憶手段に記憶された公開レベルを前記個人情報収集装置に返信する公開レベル返信工程と、
前記個人情報収集装置は、
前記通信端末装置に前記公開許可要求を送信し、当該前記通信端末装置から前記公開レベルを受信する公開許可要求工程と、
前記利用者の個人情報について公開を要求するレベルを示す公開レベルであって予め記憶された公開レベルが前記通信端末装置から受信した公開レベルを満たす場合には、前記予め記憶された公開レベルを前記個人情報管理装置に送信し、当該公開レベルに応じた個人情報を当該個人情報管理装置から受信する個人情報受信工程と、
前記個人情報管理装置は、
前記利用者の個人情報であって、前記通信端末装置に対応付けて取得された個人情報を記憶する個人情報記憶工程と、
前記個人情報収集装置から公開レベルを受信した場合に、前記個人情報記憶手段に記憶された個人情報を前記公開レベルに応じて編集して前記個人情報収集装置に送信する個人情報送信工程と、
を含んだことを特徴とする個人情報提供方法。
【産業上の利用可能性】
【００９２】
以上のように、本発明に係る個人情報収集装置、個人情報提供システムおよび個人情報提供方法は、利用者が所有する通信端末装置と、前記利用者の個人情報を管理する個人情報管理装置と、前記個人情報管理装置から前記利用者の個人情報を収集する個人情報収集装置とから構成される個人情報提供システムに有用であり、特に、個人情報を収集する側の企業等は、公的に保証された信頼度の高い個人情報を取得することが可能であるとともに、必要とするレベルの個人情報を容易に収集することが可能であり、個人情報を所有する個人は、提供する個人情報のレベルを容易に変更することが可能であるとともに、自己の意に反して個人情報が提供される事態を回避することが可能なであることに適する。
【図面の簡単な説明】
【００９３】
【図１】実施例１に係る個人情報提供システムの全体構成を示すシステム構成図である。
【図２】実施例１に係る個人情報提供システムの構成を示すブロック図である。
【図３】実施例１に係る個人情報提供システムの処理の流れを示すフローチャートである。
【図４】個人情報データの例を示す図である。
【図５】個人情報編集用定義ファイルの例を示す図である。
【図６】携帯端末の公開レベル設定情報の例を示す図である。
【図７】個人情報収集装置の公開レベル設定情報の例を示す図である。
【図８】携帯端末の公開レベルを設定する画面の例を示す図である。
【図９】公開レベルに応じて編集した個人情報データの例を示す図である。
【図１０】実施例２に係る個人情報提供システムの全体構成を示すシステム構成図である。
【図１１】実施例２に係る個人情報提供システムの構成を示すブロック図である。
【図１２】実施例２に係る個人情報提供システムの処理の流れを示すフローチャートである。
【図１３】公開レベル変更要求画面の例を示す図である。
【図１４】実施例３に係る個人情報提供システムの全体構成を示すシステム構成図である。
【図１５】個々に公開レベルを設定する画面の例を示す図である。
【図１６】個人情報提供システムを利用したサービス例（１）を示す図である。
【図１７】個人情報提供システムを利用したサービス例（２）を示す図である。
【図１８】個人情報提供システムを利用したサービス例（３）を示す図である。
【符号の説明】
【００９４】
１０  ネットワーク
１１  個人情報管理装置
１１ａ  通信部
１１ｂ  個人情報記憶部
１１ｃ  個人情報送信部
１２  店舗Ａ
１３  個人情報収集装置
１３ａ  ネットワーク通信部
１３ｂ  無線通信部
１３ｃ  公開許可要求部
１３ｄ  個人情報受信部
１４  携帯端末
１４ａ  通信部
１４ｂ  公開レベル記憶部
１４ｃ  公開レベル返信部
１００  ネットワーク
１０１  個人情報管理装置
１０１ａ  通信部
１０１ｂ  個人情報記憶部
１０１ｃ  個人情報送信部
１０２  店舗Ｂ
１０３  個人情報収集装置
１０３ａ  ネットワーク通信部
１０３ｂ  無線通信部
１０３ｃ  公開許可要求部
１０３ｄ  個人情報受信部
１０４  携帯端末
１０４ａ  通信部
１０４ｂ  公開レベル記憶部
１０４ｃ  公開レベル返信部
１４０  ネットワーク
１４１  個人情報管理装置
１４２  店舗Ｃ
１４３  個人情報収集装置
１４４  携帯端末
１６０  ネットワーク
１６１  個人情報管理装置
１６２  ＡＢＣコンビニエンスストア駅前店
１６３  青空デパート
１６３  ＡＢＣコンビニエンスストア国道店
１７０  ネットワーク
１７１  個人情報管理装置
１７２  ＡＢＣコンビニエンスストア
１８０  ネットワーク
１８１  個人情報管理装置
１８２  ＡＢＣコンビニエンスストア
【図１】
0004677348.tif 000002
【図２】
0004677348.tif 000003
【図３】
0004677348.tif 000004
【図４】
0004677348.tif 000005
【図５】
0004677348.tif 000006
【図６】
0004677348.tif 000007
【図７】
0004677348.tif 000008
【図８】
0004677348.tif 000009
【図９】
0004677348.tif 000010
【図１０】
0004677348.tif 000011
【図１１】
0004677348.tif 000012
【図１２】
0004677348.tif 000013
【図１３】
0004677348.tif 000014
【図１４】
0004677348.tif 000015
【図１５】
0004677348.tif 000016
【図１６】
0004677348.tif 000017
【図１７】
0004677348.tif 000018
【図１８】
0004677348.tif 000019